(57)【特許請求の範囲】
【請求項１】
グルーブトラック及びランドトラックを有する光ディスクであって、
グルーブトラックの両側壁に沿ってグルーブトラックに近く形成された第１ウォッブルと、
ランドトラックの両側壁に沿って前記第１ウォッブルと独立的にランドトラックに近く形成された第２ウォッブルとを具備し、
前記グルーブトラックのアドレス情報は、前記第１ウォッブルに記録され、前記ランドトラックのアドレス情報は、前記第２のウオッブルに記録されることを特徴とする光ディスク。
【請求項２】
前記ランド／グルーブトラックの両側壁の所定位置に形成されて第１ウォッブルの形成された領域と第２ウォッブルの形成された領域とを区切る中間部をさらに具備することを特徴とする請求項１に記載の光ディスク。
【請求項３】
前記第１ウォッブルに記録された前記アドレス情報はグルーブトラックスキャン時に検出され、第２ウォッブルに記録された前記アドレス情報はランドトラックスキャン時に検出されることを特徴とする請求項１に記載の光ディスク。
【発明の詳細な説明】
【０００１】
【発明の属する技術分野】
本発明はランド及びグルーブトラックに記録可能な光ディスクに係り、より詳細には、既存のランド／グルーブ光ディスクの短所を補完可能に構造が改善された光ディスクに関する。
【０００２】
【従来の技術】
ＤＶＤ−ＲＡＭ光ディスクはランドトラック及びグルーブトラックの両方にユーザデータを記録し得るランド／グルーブ記録方式を採択する。図１は、ランドトラック及びグルーブトラックの両方にユーザデータを記録し得る既存のランド／グルーブ光ディスク１の一部を示したものである。ランド／グルーブ光ディスク１の一種であるＤＶＤ−ＲＡＭ光ディスクの場合には、隣接トラックによるクロストークを最小化できるようにグルーブの深さをλ／６に製作する。ここで、λはＤＶＤ−ＲＡＭ光ディスクを記録及び／又は再生するために用いる光源の波長である。
【０００３】
ランド／グルーブ光ディスク１は、グルーブのみにユーザデータを記録するグルーブオンリ光ディスクに比べてトラックピッチ（グルーブトラックＧ’とグルーブトラックＧ’との間の距離）が略２倍であるため、このランド／グルーブ記録型光ディスクに照射されてそのランド／グルーブ構造により回折される光のうち、±１次に回折された光はグルーブオンリ光ディスクの場合よりも対物レンズ出射瞳の内側に入射する。従って、ランド／グルーブ光ディスク１は、よく知られたように、十分な大きさのプッシュプル信号を得ることができる。すなわち、ランド／グルーブ光ディスク１は十分な大きさのトラッキングエラー信号を得ることができる。
【０００４】
図１に示されたように、ランド／グルーブ光ディスク１の製造に際し、グルーブトラックＧ’及び／又はランドトラックＬ’には振幅方向の変化を用いて光ディスクの回転速度の制御及び同期情報を得るためのウォッブル信号が記録される。
【０００５】
ランドトラックＬ’及びグルーブトラックＧ’の両方にユーザデータを記録するランド／グルーブ光ディスク１においては、単に各グルーブトラックＧ’の両側壁に周波数若しくは位相変調されたウォッブルを形成して光ディスク上の物理的な位置認識のためのアドレス情報を記録することが不可能である。
【０００６】
従って、ＤＶＤ−ＲＡＭ光ディスクには、図２に示されたように、ヘッダ領域にＣＡＰＡ（Ｃｏｍｐｌｅｍｅｎｔａｒｙ Ａｌｌｏｃａｔｅｄ Ｐｉｔ Ａｄｄｒｅｓｓ）方式を適用した凹凸状のプレピット３を形成してアドレス情報を記録した。ＣＡＰＡ方式とは、図２に示されたように、ヘッダ領域にプレピットを形成するに当たって、光スポットの直径に比べてトラックピッチが小さいために、隣接トラックにあるピットの影響を最小化できるようにトラックとトラックとの間に２トラック毎にプレピットを形成する方式である。ここで、ウォッブル信号及びアドレス信号はランド／グルーブ光ディスク１において反射／回折された光ビームをその光ディスクのラジアル方向に沿って２分割して検出し、その検出信号を差動した信号、すなわち、プッシュプル信号から得ることができる。
【０００７】
ところで、ＤＶＤ−ＲＡＭ光ディスクを例に取って述べたように、既存のランド／グルーブ光ディスク１は、一般に、アドレス情報をヘッダ領域にプレピット３を形成して記録するがゆえに、アドレスのために形成されたプレピット領域だけの記録密度が下がるといった問題がある。さらに、既存のランド／グルーブ光ディスク１にはグルーブ及びプレピットが混在するがゆえに、光ディスク上の光ビームが照射される位置によってその光ディスクから反射される光ビームの光量が変わり、多層記録が困難である。
【０００８】
【発明が解決しようとする課題】
本発明は上記事情に鑑みてなされたものであり、その目的は、記録領域ではない領域（オーバーヘッド）が低減できることから、記録可能な領域（ユーザデータ領域）を増やせる光ディスクを提供することにある。
【０００９】
さらに、本発明の他の目的は、既存のランド／グルーブ光ディスク及びアドレス情報が載せられたウォッブル信号を記録するウォッブルアドレッシング方式を採択したグルーブオンリ光ディスクの長所を十分に生かせる改善された構造の光ディスクを提供することにある。
【００１０】
【課題を解決するための手段】
前記目的を達成するために、本発明は、グルーブトラック及びランドトラックを有する光ディスクであって、グルーブトラックの両側壁に沿ってグルーブトラックに近く形成された第１ウォッブルと、ランドトラックの両側壁に沿って前記第１ウォッブルと独立的にランドトラックに近く形成された第２ウォッブルとを具備することを特徴とする。
【００１１】
ここで、好ましくは、前記ランド／グルーブトラックの両側壁の所定位置に形成されて第１ウォッブルの形成された領域と第２ウォッブルの形成された領域とを区切る中間部をさらに具備する。
【００１２】
さらに、前記目的を達成するために、本発明は、グルーブトラック及びランドトラックを有する光ディスクであって、前記ランド／グルーブトラックの両側壁の所定位置に形成された中間部を具備することを特徴とする。
【００１３】
ここで、好ましくは、前記グルーブトラックと中間部との間の両側壁に形成された第１ウォッブルと、前記ランドトラックと中間部との間の両側壁に形成された第２ウォッブルとをさらに具備する。
【００１４】
以上において、好ましくは、前記第１及び第２ウォッブルには、アドレス情報の載せられたウォッブル信号が記録されている。
【００１５】
好ましくは、前記第１及び第２ウォッブルには、２相変調、周波数変調及び／又は振幅変調されたウォッブル信号が記録されている。
【００１６】
好ましくは、前記第１ウォッブルに記録されたアドレス情報はグルーブトラックスキャン時に検出され、第２ウォッブルに記録されたアドレス情報はランドトラックスキャン時に検出される。
【００１７】
【発明の実施の形態】
以下、添付した図面に基づき、本発明を詳細に説明する。
【００１８】
図３を参照するに、本発明に係る光ディスク１０は、グルーブトラックＧ及びランドトラックＬの両方にユーザデータを記録できる。グルーブトラックＧの両側壁にはグルーブトラックＧに近く第１ウォッブル１１が形成されており、ランドトラックＬの両側壁には第１ウォッブル１１と区切られるようにランドトラックＬに近く第２ウォッブル１５が形成されている。また、本発明に係る光ディスク１０のランド／グルーブトラックＬ／Ｇの両側壁の所定位置には第１ウォッブル１１が形成される領域と第２ウォッブル１５が形成される領域とを区切るように中間部Ｍが形成されている。
【００１９】
好ましくは、第１及び第２ウォッブル１１，１５にはアドレス情報の載せられたウォッブル信号が記録されている。第１ウォッブル１１に記録されたアドレス情報はグルーブトラックＧのスキャン時に検出可能であり、第２ウォッブル１５に記録されたアドレス情報は第１ウォッブル１１に記録されたアドレス情報と独立的にランドトラックＬのスキャン時に検出可能である。
【００２０】
前記のように、本発明に係る光ディスク１０のように、グルーブの深さ方向にランド／グルーブトラックＬ／Ｇの両側壁に沿って互いに独立的な第１及び第２ウォッブル１１，１５を形成する構造を有すれば、第１ウォッブル１１を形成するためのウォッブル信号にグルーブトラックＧに関するアドレス情報を加えて記録することが可能である。また、第１ウォッブル１１と独立的に第２ウォッブル１５を形成するためのウォッブル信号にランドトラックＬに関するアドレス情報を加えて記録することが可能である。従って、記録領域ではない領域を最小化できることから、既存のヘッダ領域にプレピットを形成してアドレス情報を記録する既存のランド／グルーブ光ディスク１に比べて、記録可能な領域を増やすことができる。
【００２１】
ここで、第１及び第２ウォッブル１１，１５にアドレス情報を記録する方式としては、この技術分野においてよく知られている位相変調、周波数変調及び／又は振幅変調方式を含むいかなる方式も採用可能である。例えば、第１及び第２ウォッブル１１，１５にアドレス情報を記録する方式としては、図３に示されたように、ランドトラックＬ及びグルーブトラックＧの各々に対して２相変調されたウォッブル信号、すなわち、ＢＰＳＫ（Ｂｉ−Ｐｈａｓｅ Ｓｈｉｆｔ Ｋｅｙｉｎｇ）されたウォッブル信号を記録する方式も適用できる。
【００２２】
本発明に係る光ディスク１０は、好ましくは、隣接トラックによるクロストークを最小化できるようにグルーブトラックＧとランドトラックＬとの間の距離が例えば、λ／６である。
【００２３】
以上述べたように、本発明に係る光ディスク１０は、既存のランド／グルーブ光ディスク１の長所及びグルーブオンリ光ディスクの長所を十分に生かした構造である。
【００２４】
すなわち、既存のランド／グルーブ光ディスク１、グルーブオンリ光ディスク及び本発明に係る光ディスク１０を比較して示した図４から明らかなように、本発明に係る光ディスク１０は、グルーブオンリ光ディスクに比べてトラックピッチｔｐが略２倍であるために、既存のランド／グルーブ光ディスク１と同様に、十分な大きさのプッシュプル信号、すなわち、トラッキングエラー信号を得ることができる。
【００２５】
ここで、図４は、既存のランド／グルーブ光ディスク１、グルーブオンリ光ディスク及び本発明に係る光ディスク１０の構造及びその構造によるトラックピッチを比較するためのものであり、実際には、既存のランド／グルーブ光ディスクのトラックピッチはグルーブオンリ光ディスクのトラックピッチの二倍よりも若干小さい値である。
【００２６】
図５ないし図７は、既存のランド／グルーブ光ディスク１、グルーブオンリ光ディスク及び本発明に係る光ディスク１０において反射／回折された光ビームを対物レンズ出射瞳において観測して示したベース−ボールパターンである。前述したように、ランド／グルーブ光ディスク１がグルーブオンリ光ディスクに比べて大きいトラックピッチを有するために、ランド／グルーブ光ディスク１において反射／回折された±１次光はグルーブオンリ光ディスクの場合よりも対物レンズ出射瞳の内側に入射する。例えば、図５に示されたように、ランド／グルーブ光ディスク１において反射／回折された±１次光は中央において重なり合うのに対し、図６に示されたように、グルーブオンリ光ディスクにおいて反射／回折された±１次光は重なり合わない。また、本発明に係る光ディスク１０が図５に適用されたランド／グルーブ光ディスク１と同一のトラックピッチを有するとした時、本発明に係る光ディスク１０において反射／回折された±１次光は、図７に示されたように、ランド／グルーブ光ディスク１のように中央において重なり合い、中間部Ｍの存在によりグルーブオンリ光ディスクのように外郭部において現れる。
【００２７】
図８は、図５ないし図７に示されたような反射／回折特性を有するランド／グルーブ光ディスク１、グルーブオンリ光ディスク及び本発明に係る光ディスク１０に対するプッシュプル信号を示したグラフである。本発明者はランド／グルーブ光ディスク１に対するプッシュプル信号のピーク対ピーク信号の大きさを１００％とした時、グルーブオンリ光ディスクに対しては約２５％、本発明に係る光ディスク１０に対しては約１１０％のプッシュプル信号を得ることができると確認した。
【００２８】
すなわち、本発明に係る光ディスク１０によれば、十分な大きさのトラッキング信号を得ることができる。
【００２９】
一方、下記表１の条件下において、トラックピッチによってグルーブオンリ光ディスク及び本発明に係る光ディスク１０に対する隣接トラックからのクロストークの影響をデータ対データジッタとして示した表２から明らかなように、本発明に係る光ディスク１０はグルーブオンリ光ディスクに比べてジッタが約１〜２％ほど優れているということが分かる。
【００３０】
【表１】
0003764406.tif 000002
【００３１】
【表２】
0003764406.tif 000003
表２において、トラックピッチはマーク列とマーク列との間の距離を表わす。すなわち、表２において、グルーブオンリ光ディスクのトラックピッチはグルーブとグルーブとの間の距離を言い、本発明に係る光ディスク１０のトラックピッチはグルーブトラックＧとランドトラックＬとの間の距離を言う。
【００３２】
表２から明らかなように、本発明に係る光ディスク１０はクロストークの影響が比較的に少ないので、トラックピッチを縮めてトラック方向の線密度を高めたり、あるいはシステムマージンを確保したりする上では有利である。
【００３３】
前記したように、本発明に係る光ディスク１０は、既存のランド／グルーブ光ディスク１と同様に、隣接トラックからのクロストークの影響が比較的に少なく、十分な大きさのプッシュプル信号を得ることができるという利点がある。
【００３４】
また、本発明に係る光ディスク１０は、グルーブオンリ光ディスクと同様に、ウォッブルにアドレス情報を加えて記録できることから記録領域ではない領域を最小化でき、記録可能な領域を既存のランド／グルーブ光ディスク１に比べて増やすことができる。
【００３５】
これに対し、既存のランド／グルーブ光ディスク１は、隣接トラックとのクロス記録、例えばクロス消去において、グルーブオンリ光ディスクよりも不利であると知られている。クロス記録は光ディスクの記録膜の構造及び材質を適切に選べれば改善可能であるものの、この場合記録速度が下がるという短所がある。この技術分野においてよく知られているように、ランド／グルーブ光ディスク１をクロス記録に有利になるように製造すれば記録速度が下がり、記録速度が速いように製造すればクロス記録に不利である。
【００３６】
ところで、本発明に係る光ディスク１０は、中間部Ｍを具備するので、既存のランド／グルーブ光ディスク１に比べてクロス記録特性が向上すると期待される。
【００３７】
【発明の効果】
以上述べたように、本発明に係る光ディスクは、グルーブトラックの両側壁に沿ってグルーブトラックに近く形成された第１ウォッブルと、ランドトラックの両側壁に沿ってランドトラックに近く形成された第２ウォッブルとを具備するので、第１及び第２ウォッブルにアドレス情報の載せられたウォッブル信号を記録することができる。これにより、既存のランド／グルーブ光ディスクに比べて記録領域ではない領域を大幅に低減でき、記録密度が格段に向上する。また、アドレス情報をウォッブル信号に加えて記録するので、ヘッダ領域に形成されるプレピットを既存のランド／グルーブ光ディスクに比べて顕著に低減でき、既存のランド／グルーブ光ディスクに比べて多層記録に有利である。
【図面の簡単な説明】
【図１】既存のランド／グルーブ光ディスクの一部を示す斜視図である。
【図２】図１に示された既存のランド／グルーブ光ディスクのヘッダ領域を概略的に示す図である。
【図３】本発明に係る光ディスクの一部を示す斜視図である。
【図４】既存のランド／グルーブ光ディスク、グルーブオンリ光ディスク及び本発明に係る光ディスクの構造及びその構造によるトラックピッチを比較するための図である。
【図５】既存のランド／グルーブ光ディスク、グルーブオンリ光ディスク及び本発明に係る光ディスクにおいて反射／回折された光ビームを対物レンズ出射瞳において観測して示すベース−ボールパターンである。
【図６】既存のランド／グルーブ光ディスク、グルーブオンリ光ディスク及び本発明に係る光ディスクにおいて反射／回折された光ビームを対物レンズ出射瞳において観測して示すベース−ボールパターンである。
【図７】既存のランド／グルーブ光ディスク、グルーブオンリ光ディスク及び本発明に係る光ディスクにおいて反射／回折された光ビームを対物レンズ出射瞳において観測して示すベース−ボールパターンである。
【図８】図５ないし図７に示されたような反射／回折特性を有するランド／グルーブ光ディスク、グルーブオンリ光ディスク及び本発明に係る光ディスクに対するプッシュプル信号を示すグラフである。
【符号の説明】
１０  光ディスク
１１  第１ウォッブル
１５  第２ウォッブル
Ｌ    ランド
Ｍ    中間部
Ｇ    グルーブ
【図１】
0003764406.tif 000004
【図２】
0003764406.tif 000005
【図３】
0003764406.tif 000006
【図４】
0003764406.tif 000007
【図５】
0003764406.tif 000008
【図６】
0003764406.tif 000009
【図７】
0003764406.tif 000010
【図８】
0003764406.tif 000011